(57)【要約】      （修正有）【課題】ユーザーは緊急脱出して身を守れ、他に暴漢に遭遇した時、化学薬剤を暴漢に噴射する破砕機能を備えた護身用スプレー装置を提供する。【解決手段】破砕機能を備えた護身用スプレー装置は、グリップ形状の本体１を設け、本体の一端の内部に少なくとも二つの納置空間１１、１２を形成し、内部に塗料および化学薬剤を入れ、納置空間の後方に高圧ガスシリンダー１３、１４を連接し、複数の高圧ガスシリンダーの押ボタンは本体表面から凸露出する。本体の別端の端部にピック形状のクラッシャー４を設け、緊急事態時、クラッシャーで窓ガラスを割って脱出でき、暴漢に遭遇した時はボタンを押して化学薬剤を暴漢に噴射する。更に警察官が運転している暴漢に対し逮捕を拒まれた時、塗料をフロントガラスに吹き付けて暴漢の視線を遮り、クラッシャーで窓ガラスを破砕し、化学薬剤を車内に噴射して、安全に執務執行できる。【選択図】図２
0003223579.tif 000002
【実用新案登録請求の範囲】
【請求項１】
破砕機能を備えた護身用スプレー装置において、
グリップ状の本体を設置し、前記本体の一端の内部に少なくとも二つの納置空間を形成し、その内部に塗料および化学薬剤を入れ、更に前記複数の納置空間の後方に高圧ガスシリンダーを連接し、前記それぞれの高圧ガスシリンダーの押ボタンは本体表面から凸露出し、
前記本体の別端は端部にピック形状のクラッシャーを設け、
ユーザーが緊急事態の時、クラッシャーで窓ガラスを割って脱出し、且つ暴漢に遭遇してしまった時、ボタンを押すことで高圧ガスシリンダーを開け、高圧ガスで化学薬剤を暴漢にスプレー噴射し、
更に警察官が運転している暴漢に対し逮捕を拒まれた時、フロントガラスに塗料をスプレー噴射して逮捕されるのを拒む暴漢の自動車走行を遮り、次にクラッシャーで窓ガラスを破砕して化学薬剤を車内にスプレー噴射することを特徴とする破砕機能を備えた護身用スプレー装置。
【請求項２】
前記本体の二つの納置空間の前方には、バックストップ構造を備えたノズルをそれぞれに設け、使用していない時、前記複数のノズルは二つの納置空間の開口をしっかりと閉じ、中身の塗料および化学薬剤を密閉状態で維持して、
高圧ガスシリンダーのガスが塗料もしくは化学薬剤を高圧噴射する時、高圧衝撃力によってノズルが開き、塗料もしくは化学薬剤をスプレー噴射することを特徴とする請求項１記載の破砕機能を備えた護身用スプレー装置。
【請求項３】
前記本体に設置したクラッシャーはピック形状で適度な長さを有することを特徴とする請求項１記載の破砕機能を備えた護身用スプレー装置。
【請求項４】
前記本体は、前記クラッシャーの一側に照明機能を備える照明ライト（Ｌ．Ｅ．Ｄ．）を設け、前記照明ライトは本体のスイッチに露出して連接し、次に電池に連接し、該スイッチで該照明ライトの点滅制御することを特徴とする請求項１記載の破砕機能を備えた護身用スプレー装置。
【考案の詳細な説明】
【技術分野】
【０００１】
本考案は、破砕機能を備えた護身用スプレー装置に関するもので、特に緊急事態時に窓ガラスを割って脱出し、且つ暴漢に遭遇してしまった時にはボタンを押すことで、化学薬剤を暴漢に噴射する破砕機能を備えた護身用スプレー装置に関する。
【背景技術】
【０００２】
自動車での緊急事態で、たとえば監禁、自動車事故もしくは水没等で自動車ドアが開かない時、通常瞬間的に窓ガラスを割る工具で即時脱出する必要があるが、車内に同様の工具が設置されていない場合には改善されなければならない。
また最近では治安が悪化し、人々が強奪や襲撃事件に遭う場面が増えているため、一般にも防犯のための道具が必要である。更に違法にも関わらず飲酒運転も多く見られ、加えて暴漢の自動車での事件も頻発している。そのため、警察官が路肩もしくは道路に停車させて検査する時、暴漢もしくは飲酒者は検査を受けるために停車するが、警察官が異常を感じて車から降りることを指示した時、ビクビクしながらもアクセルを踏み込むことがある。このような状況の時、警察官は暴漢の行動を阻止もしくは制限することができない。警察官は拳銃を携帯しているが、警察用の拳銃には使用規定があり、任意に使用できるものではない。拠って、往々にして暴漢は慌てて逃走し、ひどい場合には警察官に向かってぶつかり、警察官が死傷することがある。
【先行技術文献】
【特許文献】
【０００３】
【特許文献１】実用新案登録第３２０３５７３号公報
【考案の概要】
【考案が解決しようとする課題】
【０００４】
出願人は、これらの事実に鑑み、研究、実験を続け、遂に破砕機能を備えた護身用スプレー装置を設計し、それによってユーザーは緊急脱出して身を守れ、且つ警察官には暴漢逮捕の目的を達成し、更に警察官が安全に執務執行できるようにする。
【０００５】
ユーザーが緊急事態の時窓ガラスを割って脱出でき、他に暴漢に遭遇してしまった時、ボタンを押して化学薬剤を暴漢に噴射する破砕機能を備えた護身用スプレー装置を提供することを本考案の主要な課題とする。
【課題を解決するための手段】
【０００６】
前述の破砕機能を備えた護身用スプレー装置は、グリップ状の本体を設置し、該本体の一端の内部に少なくとも二つの納置空間を形成する。その納置空間の密閉状態の内部に塗料および化学薬剤を入れ、更に該複数の納置空間の後方に高圧ガスシリンダーを連接し、該複数の高圧ガスシリンダーの押ボタンは本体表面から凸露出する。他に、該本体の別端は端部にピック状のクラッシャーを設ける。
ユーザーが緊急事態の時、クラッシャーで窓ガラスを割って脱出し、また、暴漢に遭遇してしまった時にはボタンを押すことで高圧ガスシリンダーを開け、高圧ガスで化学薬剤を暴漢にスプレー噴射し、化学薬剤を暴漢にスプレー噴射する。本考案は警察官が運転している暴漢に対し逮捕を拒まれた時、塗料をフロントガラスに塗料をスプレー噴射して、暴漢の視線を遮り、次にクラッシャーで窓ガラスを破砕して化学薬剤を車内にスプレー噴射し、それによって暴漢の行動を制限して逮捕することができ、更に警察官に依る公務執行の際の安全を確保する。
【０００７】
前述の破砕機能を備えた護身用スプレー装置は、そのうち該本体における納置空間の前方にはバックストップ構造を備えたノズルが設けられ、護身用スプレー装置を使用しない時、該ノズルは納置空間の開口をしっかりと閉じる。高圧ガスシリンダーのガスが塗料もしくは化学薬剤を高圧噴射すると、衝撃力によってノズルが開き、塗料もしくは化学薬剤をスプレー噴射させる。
【０００８】
前述の破砕機能を備えた護身用スプレー装置のうち、本体に設置したクラッシャーはピック形状で適度な長さを有する。
【考案の効果】
【０００９】
本考案の破砕機能を備えた護身用スプレー装置は、ユーザーは緊急脱出して身を守れ、他に暴漢に遭遇してしまった時、ボタンを押して化学薬剤を暴漢に噴射するという利点がある。
したがって、本考案は更に警察官が逮捕を拒む運転手に対応する時、フロントガラスに塗料をスプレー噴射して逮捕を拒む暴漢の走行視線を阻み、クラッシャーで窓ガラスを破砕し、化学薬剤を車内にスプレー噴射し、それによって暴漢の行動を制限して逮捕する目的を達成し、更に警察官に依る公務執行の際の安全を確保することが出来る。
【図面の簡単な説明】
【００１０】
【図１】本考案の実施例の立体図である。
【図２】本考案の断面図である。
【図３】本考案の緊急状況によって窓ガラスを破砕した状態図である。
【図４】本考案の塗料スプレー噴射動作状態図である。
【図５】本考案の別の窓ガラス破砕状態図である。
【図６】本考案の化学薬剤スプレー動作状態図である。
【図７】本考案の塗料もしくは化学薬剤のスプレー噴射状態図である。
【考案を実施するための形態】
【実施例】
【００１１】
図１および図２は本考案の立体図および断面図である。図に示すとおり、本考案は、グリップ状の本体１を設置し、該本体１の一端内部には少なくとも第一納置空間１１および第二納置空間１２を設け、そこに塗料２（有色塗料で、たとえば黒色）および化学薬剤３をそれぞれ入れる。
更に該第一納置空間１１および第二納置空間１２の後方に高圧ガスシリンダー１３、１４をそれぞれ連接し、該複数の高圧ガスシリンダー１３、１４の押ボタン１３１、１４１をそれぞれ本体１表面から突出（凸露出）して設置する。該複数の高圧ガスシリンダー１３、１４は押ボタン１３１、１４１の押圧で、中身の高圧ガスが勢いよく出力される。
【００１２】
該本体１の第一納置空間１１および第二納置空間１２の前方にはバックストップ構造を備えたノズル１１１、１２１を設け、使用していない時には、該複数のノズル１１１、１２１は第一納置空間１１および第二納置空間１２の開口をしっかり閉じ、中身の塗料２および化学薬剤３を密閉（気密）状態にする。また高圧ガスシリンダー１３、１４のガスが塗料２もしくは化学薬剤３を高圧で噴射すると、高圧衝撃力によってノズル１１１、１２１を開放し、塗料１３もしくは化学薬剤１４が第一納置空間１１および第二納置空間１２からスプレー噴射される。
【００１３】
該本体１の別端は端部にピック形状のクラッシャー４を設け、更に該クラッシャー４の一側に照明ライト１５（Ｌ．Ｅ．Ｄ．）を設けて本実施例とする。該クラッシャー４はピック形状で適度な長さを有する。
該照明ライト１５は本体１のスイッチ１５１に連接して露出し、更に該スイッチ１５１から電池１５２へ連接し、該スイッチ１５１によって照明ライト１５が点滅する。
【００１４】
前述部品の組み合わせによって、破砕機能を備えた護身用スプレー装置が構成される。ユーザーが緊急状態で車内に閉じ込められた（監禁、自動車事故もしくは水没等で自動車ドアが開かない）時、スイッチ１５１で照明ライト１５を点灯して明るくし、それからクラッシャー４で窓ガラスを割って脱出する。更に暴漢に遭遇してしまった時には、押ボタン１４１を押して化学薬剤３を噴射して暴漢を威嚇する。
本考案は更に警察官が運転している暴漢に対し逮捕を拒まれた時、押ボタン１３１を押すことによって、塗料２をフロントガラスに吹き付けて暴漢の視線を遮り、車を前進できないようにする。更にクラッシャー４で窓ガラスを破砕し、押ボタン１４１を押すことによって、化学薬剤３を車内に噴射し、それによって暴漢の行動を制限して逮捕する目的を達成し、更に警察官に依る公務執行の際の安全を確保する。
【００１５】
図３および図７さらに図１が示すのは、本考案の緊急状況によって窓ガラスを破砕した状態図および化学薬剤噴射の状態図である。
図に示すとおり、本考案の応用状態として、一般ユーザーが緊急状況（監禁、自動車事故もしくは水没等で自動車ドアが開かない）の時、スイッチ１５１で照明ライト１５を付けて明るくし、次にクラッシャー４で窓ガラスを割って脱出する（例として本実施例はサイドガラス６を破砕する）。
本考案の別の応用状態として、一般ユーザーもしくは警備員が暴漢に遭遇した時、押ボタン１４１を押すことによって、高圧ガスシリンダー１４を開き、高圧ガスシリンダー１４から吹き出た高圧ガスが、第二納置空間１２の化学薬剤３をノズル１２１から押し出し、暴漢を威嚇する作用を達成する。
【００１６】
図４および図７に示すのは、本考案の塗料スプレー動作状態図である。図に示すとおり、本考案は警察官も使用でき、警察官が逮捕を拒む運転の暴漢に遭遇した時、本考案の押ボタン１３１を押すことで、高圧ガスシリンダー１３が開き、高圧ガスシリンダー１３から吹き出た高圧ガスが第一納置空間１１の塗料２をノズル１１１からフロントガラス５へスプレー噴射することでフロントガラス５を大きく遮蔽して暴漢の視線を遮って、車が前進できないようにする。
【００１７】
図５は、本考案の窓ガラス破砕の別の状態図である。図に示すとおり、前述警察官が塗料２をフロントガラス５に噴射した時、もしも暴漢がそれでも車内から降りることを拒んだ場合、警察官は本体１の別端に設置したクラッシャー４を車体に向け、該クラッシャー４で運転席のサイドガラス６を破砕し（該クラッシャー４はピック形状でサイドガラス６の任意の角に向けて力を入れて刺すと該サイドガラス６が割れる）、暴漢を下車させて検査したり、更に、逮捕したりする。
【００１８】
図６および図７は、本考案の化学薬剤スプレー噴射動作状態図である。図に示すとおり、前述のとおりクラッシャー４で運転席のサイドガラス６を破砕し、次に暴漢を下車させられないか、もしくは暴漢が武器で対抗してきた場合、警察官は本体１を車内に合わせ、押ボタン１４１を押して高圧ガスシリンダー１４を開くと高圧ガスシリンダー１４から吹き出た高圧ガスが第二納置空間１２の化学薬剤３をノズル１２１から押し出し、化学薬剤３が車内に噴射される。それによって暴漢の行動を制限して逮捕する目的を達成し、更に警察官に依る公務執行の際の安全を確保する。
【００１９】
前述実施例は、本考案の良好な実施方法を説明したものにすぎず、本考案の請求範囲を制限するものではなく、僅かな修飾、変更は本考案の請求範囲に属し本考案の技術思想の範囲から逸脱しない。
【００２０】
上述のとおり、本考案は少なくとも二つの納置空間有する本体を設け、該複数の納置空間には塗料および化学薬剤を入れる。更に本体別端に設置したクラッシャーは、破砕機能を備えた護身用スプレー装置を構成する。
ユーザーが緊急事態の時、クラッシャーで窓ガラスを割って脱出し、且つ暴漢に遭遇してしまった時、ボタンを押すことで、化学薬剤を暴漢に噴射する。本考案は更に警察官が逮捕を拒む運転手に対応する時、フロントガラスに塗料をスプレー噴射して逮捕を拒む暴漢の走行視線を阻み、クラッシャーで窓ガラスを破砕し、化学薬剤を車内にスプレー噴射し、それによって暴漢の行動を制限して逮捕する目的を達成し、更に警察官に依る公務執行の際の安全を確保する。
なお、本考案の特徴を損なうものでなければ、上記実施例に限定されるものでないことは勿論である。
【符号の説明】
【００２１】
１        本体
１１        第一納置空間
１１１        ノズル
１２        第二納置空間
１２１        ノズル
１３        高圧ガスシリンダー
１３１        押ボタン
１４        高圧ガスシリンダー
１４１        押ボタン
１５        照明ライト
１５１        スイッチ
１５２        電池
２        塗料
３        化学薬剤
４        クラッシャー
５        フロントガラス
６        サイドガラス
【図１】
0003223579.tif 000003
【図２】
0003223579.tif 000004
【図３】
0003223579.tif 000005
【図４】
0003223579.tif 000006
【図５】
0003223579.tif 000007
【図６】
0003223579.tif 000008
【図７】
0003223579.tif 000009